(57)【要約】【課題】防火性能及び操作性を良好なものとすること。【解決手段】障子２０の縦框２４の所定部位に配設され、障子３０の縦框３４に配設されたクレセント受け５０と係合可能な皿部４１を有したクレセント錠４０であって、所定部位に配設された台座部６０と、台座部６０と所定部位との間に配設されたベース７０とを有し、皿部４１は、台座部６０に設けた貫通孔６２及びベース７０に設けた軸支孔７２を貫通する軸部４２によって回動可能にベース７０に支持されており、ベース７０は、皿部４１に離隔した状態で皿部４１に向けて突出するよう設けられた第１突片７３と、所定部位に向けて突出するよう設けられた第２突片７４とを備えている。【選択図】図３
2015045215.tif 000002
【特許請求の範囲】
【請求項１】
開口枠にスライド開閉可能に配設された障子の框と、前記障子を閉じた場合に前記框と召し合わさる部分との一方の所定部位に配設され、かつ他方に配設されたクレセント受けと係合可能な皿部を有したクレセント錠であって、
前記所定部位に配設された台座部と、
前記台座部と前記所定部位との間に介在するよう配設されたベースと
を有し、
前記皿部は、前記台座部に設けた孔部及び前記ベースに設けた軸支孔を貫通する軸部によって、該軸部の中心軸回りに回動可能に前記ベースに支持されており、
前記ベースは、前記皿部に離隔した状態で該皿部に向けて突出するよう設けられた第１突部と、前記所定部位に向けて突出するよう設けられた第２突部とを備えたことを特徴とするクレセント錠。
【請求項２】
前記第１突部は、前記台座部が溶融して前記皿部が前記第１突部に近接する場合、該皿部に当接することを特徴とする請求項１に記載のクレセント錠。
【請求項３】
前記第２突部は、前記第１突部が前記皿部に当接されて押圧されることで前記所定部位に当接した場合、前記皿部の移動を規制することを特徴とする請求項２に記載のクレセント錠。
【請求項４】
前記ベースと前記台座部とは、共通の支持部材により前記所定部位に支持されることで配設されており、
前記第１突部及び前記第２突部は、前記支持部材よりも前記クレセント受けに近接する領域に設けられていることを特徴とする請求項１〜３のいずれか一つに記載のクレセント錠。
【請求項５】
前記ベースは、前記軸支孔の周縁部に該軸支孔の内方に向けて突出する突出片が設けられていることを特徴とする請求項１〜４のいずれか一つに記載のクレセント錠。
【請求項６】
前記台座部は、前記孔部の周縁部において前記軸部の延在方向に沿って突出するよう略筒状に形成され、かつ外径が前記軸支孔の内径に適合するボス部を備え、
前記ボス部は、前記突出片の進入を許容する凹部を備えたことを特徴とする請求項５に記載のクレセント錠。
【請求項７】
前記軸部は、少なくとも周面部の一部において径方向外部に向けて突出して形成され、かつ端面が前記皿部における前記ベースと対向する面と反対側の面に接する拡径部を備えたことを特徴とする請求項１〜６のいずれか一つに記載のクレセント錠。
【請求項８】
前記所定部位は、金属製の框、あるいは樹脂製の框の切欠部分に設置された金属製のスペーサであることを特徴とする請求項１〜７のいずれか一つに記載のクレセント錠。
【請求項９】
請求項１〜８のいずれか一つに記載のクレセント錠を備えたことを特徴とする建具。
【発明の詳細な説明】
【技術分野】
【０００１】
本発明は、クレセント錠及び建具に関するものである。
【背景技術】
【０００２】
従来、例えば引き違い窓のような開口枠に対して２枚の障子をスライド開閉可能に支持させた建具が知られている。このような建具においては、２枚の障子にて開口枠を閉じた場合に互いに召し合わせの位置となる内障子の縦框と外障子の縦框との間に、クレセント錠及びクレセント受けが互いに対応して設けられ、クレセント錠の皿部が施錠操作されることでクレセント受けに係合し、内障子と外障子との相対移動を阻止することが可能である。
【０００３】
上記クレセント錠は、上記皿部の他、台座部を有しており、台座部は、裏板が介在した状態で例えばネジ等により所定部位に配設されている。そして、このようなクレセント錠においては、製造コストの低減化を図る観点から、台座部は例えば亜鉛合金のような低融点金属材料をダイカスト鋳造法で成形しているのが一般的である。
【０００４】
そのため、上記建具においては、例えば火災等により加熱されるとクレセント錠の台座部が消失してしまい、内障子及び外障子をスライドさせる方向に外力が作用すると裏板が変形等して障子がスライドすることを許容し、結果的に良好な防火性能を有するものとならない虞れがあった。
【０００５】
そこで、皿部と裏板との間隔を保持するためにスペーサが設けられたクレセント錠が提案されている（例えば、特許文献１参照）。
【先行技術文献】
【特許文献】
【０００６】
【特許文献１】実公平７−５５２４４号公報
【発明の概要】
【発明が解決しようとする課題】
【０００７】
ところが、上述した特許文献１に提案されているクレセント錠では、スペーサの端部が皿部に常時接触しているため、皿部が施解錠操作される場合に皿部がスペーサの端部と接触し、両者の間に常に摩擦力が生じて常態における皿部の操作性が良好なものとならない虞れがあった。
【０００８】
本発明は、上記実情に鑑みて、防火性能及び操作性を良好なものとすることができるクレセント錠及び建具を提供することを目的とする。
【課題を解決するための手段】
【０００９】
上記目的を達成するために、本発明に係るクレセント錠は、開口枠にスライド開閉可能に配設された障子の框と、前記障子を閉じた場合に前記框と召し合わさる部分との一方の所定部位に配設され、かつ他方に配設されたクレセント受けと係合可能な皿部を有したクレセント錠であって、前記所定部位に配設された台座部と、前記台座部と前記所定部位との間に介在するよう配設されたベースとを有し、前記皿部は、前記台座部に設けた孔部及び前記ベースに設けた軸支孔を貫通する軸部によって、該軸部の中心軸回りに回動可能に前記ベースに支持されており、前記ベースは、前記皿部に離隔した状態で該皿部に向けて突出するよう設けられた第１突部と、前記所定部位に向けて突出するよう設けられた第２突部とを備えたことを特徴とする。
【００１０】
この発明によれば、第１突部がベースにおいて皿部に離隔した状態で該皿部に向けて突出するよう設けられているので、常態においては皿部との間に間隙が形成してある。これにより、常態において皿部が回動する場合に該皿部と第１突部との間で摩擦力が生ずる虞れがないので、常態における皿部の操作を良好に行うことができる。一方、火災等により台座部が溶融して皿部と当接した場合には該皿部との間に作用する摩擦力により皿部が回動することを阻止することができるので、皿部がクレセント受けと非係合状態になることを抑制できる。また、第２突部がベースにおいて所定部位に向けて突出するよう設けられているので、第１突部が皿部に当接して押圧されたとしても該所定部位に当接して押圧による移動を規制するので、皿部が第１突部に当接した以降に所定部位に近接する移動を抑制でき、これによっても皿部がクレセント受けと非係合状態となることを抑制することができる。
【００１１】
また本発明は、上記クレセント錠において、前記第１突部は、前記台座部が溶融して前記皿部が前記第１突部に近接する場合、該皿部に当接することを特徴とする。
【００１２】
この発明によれば、常態においては皿部との間に間隙が形成してある。これにより、常態において皿部が回動する場合に該皿部と第１突部との間で摩擦力が生ずる虞れがないので、常態における皿部の操作を良好に行うことができる。一方、火災等により台座部が溶融して皿部と当接した場合には該皿部との間に作用する摩擦力により皿部が回動することを阻止することができるので、皿部がクレセント受けと非係合状態になることを抑制することができる。
【００１３】
また本発明は、上記クレセント錠において、前記第２突部は、前記第１突部が前記皿部に当接されて押圧されることで前記所定部位に当接した場合、前記皿部の移動を規制することを特徴とする。
【００１４】
この発明によれば、皿部が第１突部に当接した以降に所定部位に近接する移動を抑制でき、皿部がクレセント受けと非係合状態となることを抑制することができる。
【００１５】
また本発明は、上記クレセント錠において、前記ベースと前記台座部とは、共通の支持部材により前記所定部位に支持されることで配設されており、前記第１突部及び前記第２突部は、前記支持部材よりも前記クレセント受けに近接する領域に設けられていることを特徴とする。
【００１６】
この発明によれば、第１突部及び第２突部が支持部材よりもクレセント受けに近接する領域に設けてあるので、加熱による皿部の移動を最小限にすることができる。
【００１７】
また本発明は、上記クレセント錠において、前記ベースは、前記軸支孔の周縁部に該軸支孔の内方に向けて突出する突出片が設けられていることを特徴とする。
【００１８】
この発明によれば、軸支孔の周縁部に該軸支孔の内方に向けて突出する突出片が形成されているので、軸部との離間距離を十分に低減させることができ、これにより例えば火災等により台座部等が溶融してしまった場合においても軸部ががたつくことを抑制することができる。
【００１９】
また本発明は、上記クレセント錠において、前記台座部は、前記孔部の周縁部において前記軸部の延在方向に沿って突出するよう略筒状に形成され、かつ外径が前記軸支孔の内径に適合するボス部を備え、前記ボス部は、前記突出片の進入を許容する凹部を備えたことを特徴とする。
【００２０】
この発明によれば、台座部のボス部の外径が軸支孔の内径に適合し、かつ凹部が突出片の進入を許容するので、クレセント錠の組み立て加工時において、凹部に突出片が相対的に進入するよう軸支孔にボス部を挿通させることで台座部に対するベースの位置決めを行うことができ、クレセント錠の組み立てを容易なものとすることができる。
【００２１】
また本発明は、上記クレセント錠において、前記軸部は、少なくとも周面部の一部において径方向外部に向けて突出して形成され、かつ端面が前記皿部における前記ベースと対向する面と反対側の面に接する拡径部を備えたことを特徴とする。
【００２２】
この発明によれば、軸部に形成された拡径部の端面が皿部におけるベースと対向する面と反対側の面に接しているので、例えば火災等により台座部等が溶融してしまった場合において、該拡径部と第１突部とで皿部を挟み込むことで皿部の移動量をより低減させることができる。
【００２３】
また本発明は、上記クレセント錠において、前記所定部位は、金属製の框、あるいは樹脂製の框の切欠部分に設置された金属製のスペーサであることを特徴とする。
【００２４】
この発明によれば、例えば火災等により樹脂製の框が溶融した場合でもクレセント錠と金属製の框との間に隙間が生ずる虞れがなく、クレセント錠ががたつくことを抑制することができる。
【００２５】
また、本発明に係る建具は、上記クレセント錠を備えたことを特徴とする。
【００２６】
この発明によれば、常態において皿部が回動する場合に該皿部と第１突部との間で摩擦力が生ずる虞れがないので、常態における皿部の操作を良好に行うことができる。一方、火災等により台座部が溶融して皿部と当接した場合には該皿部との間に作用する摩擦力により皿部が回動することを阻止することができるので、皿部がクレセント受けと非係合状態になることを抑制できる。また、第２突部がベースにおいて所定部位に向けて突出するよう設けられているので、第１突部が皿部に当接して押圧されたとしても該所定部位に当接して押圧による移動を規制するので、皿部が第１突部に当接した以降に所定部位に近接する移動を抑制でき、これによっても皿部がクレセント受けと非係合状態となることを抑制することができる。
【発明の効果】
【００２７】
本発明によれば、防火性能及び操作性を良好なものとすることができるという効果を奏する。
【図面の簡単な説明】
【００２８】
【図１】図１は、本発明の実施の形態であるクレセント錠が適用された建具を室内側から示す外観図である。
【図２】図２は、建具の横断面図である。
【図３】図３は、クレセント錠を室内側から見た場合を示す図であり、一部を断面で示している。
【図４】図４は、クレセント錠を内障子の縦框側から見た場合を示す分解斜視図である。
【図５】図５は、図４とは反対側より見た場合を示すクレセント錠の分解斜視図である。
【図６】図６は、ベースを左側から見た場合を示す斜視図である。
【図７】図７は、ベースを右側から見た場合を示す斜視図である。
【図８】図８は、皿部とベースを右側から見た場合を示す斜視図である。
【図９】図９は、皿部とベースを左側から見た場合を示す斜視図である。
【図１０】図１０は、図３に示したクレセント錠のうち台座部等が火災により焼失した場合を示す図である。
【図１１】図１１は、火災等により加熱された場合におけるベースの作用を示す拡大横断面図である。
【図１２】図１２は、本発明の実施の形態のクレセント錠の変形例の要部を示す斜視図である。
【図１３】図１３は、図１２に示す要部を上方から見た場合を示す説明図である。
【図１４】図１４は、図１２及び図１３に示した軸部の斜視図である。
【図１５】図１５は、図１２及び図１３で図示を省略した台座部を示す斜視図である。
【図１６】図１６は、図１２及び図１３に示したクレセント錠を、金属製の框部分に樹脂製の框部分が組み合わされた複合部材である召し合わせ框に適用する場合の一例を示す斜視図である。
【図１７】図１７は、図１２及び図１３に示したクレセント錠を、金属製の框部分に樹脂製の框部分が組み合わされた複合部材である召し合わせ框に適用する場合の他の例を示す説明図である。
【発明を実施するための形態】
【００２９】
以下に添付図面を参照して、本発明に係るクレセント錠及び建具の好適な実施の形態について詳細に説明する。
【００３０】
図１は、本発明の実施の形態であるクレセント錠が適用された建具、すなわち本発明の実施の形態である建具を室内側から示す外観図であり、図２は、図１に示した建具の横断面図である。ここで例示する建具は、開口枠１０に対して２枚の障子２０，３０を左右方向にスライド開閉可能に配設した引き違い窓である。
【００３１】
開口枠１０は、上枠１１、下枠１２及び左右一対の縦枠１３，１４を四周枠組みすることによって矩形状に構成したものである。尚、開口枠１０の各枠１１，１２，１３，１４は、それぞれアルミニウムやアルミニウム合金の押し出し型材によって所定の横断面形状を有するように構成してある。
【００３２】
内側の障子２０（以下、内障子２０ともいう）及び外側の障子３０（以下、外障子３０ともいう）は、上框２１，３１、下框２２，３２及び左右一対の縦框２３，２４，３３，３４を四周框組みすることによって矩形状に構成した框の内部に中桟２５，３５を挟んで上下２枚の面材２６，３６を保持したものである。
【００３３】
各障子２０，３０の各框及び中桟は、それぞれアルミニウムやアルミニウム合金の押し出し型材によって所定の横断面形状を有するように構成してある。尚、適用する障子２０，３０としては、必ずしも中桟を備えたものに限らない。
【００３４】
これら障子２０，３０は、一方の縦框２３，３３がそれぞれ縦枠１３，１４に当接し、他方の縦框２４，３４どうしが召し合わせの位置となるように配置された場合に、開口枠１０が閉じられるようにそれぞれの寸法が設定してある。
【００３５】
上記建具においては、図２に示すように、内障子２０と外障子３０とにより開口枠１０を閉じた場合に互いに召し合わせの位置となる内障子２０の縦框２４（以下、召し合わせ框２４ともいう）の見込み面２４ａの所定部位にクレセント錠４０が設けてある一方、外障子３０の縦框３４（以下、召し合わせ框３４ともいう）にクレセント受け５０がクレセント錠４０に対応して設けてある。
【００３６】
図３は、図２に示したクレセント錠を室内側から見た場合を示す図であり、一部を断面で示している。また、図４は、クレセント錠を内障子の縦框側から見た場合を示す分解斜視図であり、図５は、図４とは反対側より見た場合を示すクレセント錠の分解斜視図である。これら図３〜図５に示すように、クレセント錠４０は、皿部４１、軸部４２、台座部６０及びベース７０を備えて構成してある。
【００３７】
皿部４１は、例えばステンレス等の耐火性の金属材料から形成されるもので、略半円状の形態を成している。この皿部４１には、クレセント受け５０と係着可能なフランジ４１ａが形成してある。
【００３８】
軸部４２は、例えばステンレス等の耐火性の金属材料から形成された棒状体により構成してある。この軸部４２は、一端がノブ４３に一体的に取り付けてある。かかる軸部４２は、左右方向に沿って延在しており、皿部４１の異形状の挿通孔４１ｂを挿通するよう設けてある。尚、この軸部４２は、図３において便宜上二点鎖線で示している（図１０及び図１１においても同様に二点鎖線で示す）。ノブ４３は、例えば樹脂製のものであり、上記軸部４２とともに凸部４３ａが皿部４１の挿通孔４１ｂに挿通して該挿通孔４１ｂに嵌合することで皿部４１と一体となるものである。これにより、軸部４２は、皿部４１と一体的に取り付けられている。
【００３９】
台座部６０は、例えば亜鉛合金のような低融点金属材料をダイカスト鋳造法で成形したものであり、台座取付孔６１を挿通するネジ（支持部材）８０が召し合わせ框２４に螺合することで該所定部位に支持されて配設してある。この台座部６０には、貫通孔（孔部）６２が形成してあり、この貫通孔６２に軸部４２を貫通させている。
【００４０】
図６及び図７は、それぞれ図３に示したベース７０を示すものであり、図６は左側から見た場合を示す斜視図であり、図７は右側から見た場合を示す斜視図である。これら図６及び図７にも示すように、ベース７０は、例えばステンレス等の耐火性の金属材料から形成される板状体を屈曲等させて構成したものである。
【００４１】
このベース７０は、台座部６０と所定部位（召し合わせ框２４の見込み面２４ａ）との間に介在しており、台座取付孔６１を挿通する上記ネジ８０が自身のベース取付孔７１を貫通して召し合わせ框２４に螺合することで該所定部位に支持されて配設してある。このようなベース７０の中央領域７０ａには、台座部６０の貫通孔６２に対応する個所に軸支孔７２が形成してある。この軸支孔７２は、貫通孔６２と同様に皿部４１の軸部４２を貫通させるものである。これら貫通孔６２及び軸支孔７２を貫通する軸部４２の先端は、図８及び図９に示すように、例えばステンレス等の耐火性の金属材料から形成された裏金８１を貫通した後にかしめられている。かかる裏金８１は、ベース７０の軸支孔７２の開口面積よりも大きいものであり、これにより、ベース７０は軸部４２の抜け止めとして作用するとともに、皿部４１を軸部４２の中心軸回りに回動可能に支持している。
【００４２】
軸部４２の先端に取り付けられた裏金８１は、召し合わせ框２４に向けて延在する係止片８１ａが設けてあり、かかる係止片８１ａにバネ８２の一端が係止している。このバネ８２は、他端が台座部６０に設けられた係止部位６３に係止しており、軸部４２の中心軸回りに回動する皿部４１の姿勢を施錠状態又は解錠状態に保持するためのものである。
【００４３】
上記ベース７０は、第１突片（第１突部）７３と第２突片（第２突部）７４とが設けてある。第１突片７３は、ベース７０の中央領域７０ａにおける軸支孔７２の室外側の端部を左側、すなわち皿部４１に向けて延在するよう屈曲させた舌片状部位である。この第１突片７３は、台座部６０の窪部６４に進入した状態で設けてあり、その端部は皿部４１と離隔している。つまり、第１突片７３と皿部４１との間には間隙Ｓが設けてある。
【００４４】
第２突片７４は、複数（本実施の形態では２つ）設けてあり、第１突片７３の上方側及び下方側における中央領域７０ａの室外側端部を右側、すなわち召し合わせ框２４の見込み面２４ａ（所定部位）に向けて突出するよう形成されている。これら第２突片７４は、その先端が見込み面２４ａに僅かに離隔している。
【００４５】
これら第１突片７３及び第２突片７４は、ベース取付孔７１を貫通するネジ８０よりも室外側、すなわちクレセント受け５０に近接する領域に設けてある。
【００４６】
尚、図４及び図５中における符号４４は、トリガーであり、通孔４４ａを有している。このトリガー４４は、通孔４４ａを通過するトリガーピン４５の一端部が皿部４１のトリガー孔４１ｃに進入して嵌合されるとともに、トリガーピン４５の他端部がノブ４３の係合孔４３ｂに進入して係合されることで、トリガーピン４５の中心軸回りに回動可能に配設してある。そして、トリガー４４は、トリガーピン４５を巻回して一端が該トリガー４４に係止され、かつ他端がノブ４３に係止されたトリガースプリング４６により付勢されている。このようなトリガー４４は、従来公知のものであり、内障子２０及び外障子３０が完全な閉状態にあるときのみクレセント受け５０に当接し回動することで、ノブ４３が施錠状態に回動可能となり、それ以外の場合では、ノブ４３の回動を防止してクレセント錠４０に空掛け防止機能を追加するものである。
【００４７】
以上のような構成を有する建具においては、開口枠１０が閉じた状態、すなわち召し合わせ框２４，３４が召し合わせ位置に配置された状態で皿部４１を施錠操作すると、皿部４１のフランジ４１ａがクレセント受け５０に係着することで皿部４１がクレセント受け５０に係合し、内障子２０と外障子３０とが相対的にスライドすることを阻止する。その一方、皿部４１を解錠操作した場合には、皿部４１のフランジ４１ａがクレセント受け５０から離脱して皿部４１がクレセント受け５０と非係合状態となり、内障子２０と外障子３０とがスライドすることを許容する。
【００４８】
皿部４１がクレセント受け５０と係合した状態で火災等により加熱されると、クレセント錠４０においては、図１０に示すように、例えば亜鉛合金のような低融点金属材料から形成される台座部６０や樹脂製のノブ４３が溶融し、一端が台座部６０に係止されていたバネ８２も離脱する。そして、加熱により内障子２０及び外障子３０が熱膨張等により変形することで内障子２０及び外障子３０をスライドさせる方向の力が作用した場合、図１１に示すように皿部４１が内障子２０の召し合わせ框２４に近接して、ベース７０の第１突片７３が該皿部４１に当接することになる。このように第１突片７３に皿部４１が当接して押圧されても第２突片７４の先端が所定部位に接することで、該押圧による移動を規制することができ、これにより皿部４１が第１突片７３に当接した以降に所定部位に近接する移動を抑制できる。しかも第１突片７３が皿部４１に当接することで、両者の間に作用する摩擦力により皿部４１が軸部４２の中心軸回りに回動することを阻止することができる。
【００４９】
このように皿部４１が所定部位に近接する移動を抑制するとともに軸部４２の中心軸回りに回動することを阻止することで、皿部４１がクレセント受け５０と非係合状態となることを抑制することができる。このようにクレセント錠４０の皿部４１がクレセント受け５０と非係合状態となることを抑制することができるので、内障子２０及び外障子３０を開口枠１０を閉じた状態に保持することができ、これにより気密性を確保して防火性能を良好なものとすることができる。
【００５０】
そして、常態においては、第１突片７３と皿部４１との間には間隙Ｓが設けてあるので、皿部４１が回動する際に第１突片７３との間で摩擦力が生ずる虞れがない。よって皿部４１の常態における操作性を良好なものとすることができる。
【００５１】
従って、本発明の実施の形態によれば、防火性能及び操作性を良好なものとすることができる。
【００５２】
上記実施の形態によれば、第１突片７３及び第２突片７４がネジ８０よりもクレセント受け５０に近接する領域に設けてあるので、加熱による皿部４１の移動を最小限にすることができる。
【００５３】
図１２は、本発明の実施の形態のクレセント錠の変形例の要部を示す斜視図であり、図１３は、図１２に示す要部を上方から見た場合を示す説明図である。これら図１２及び図１３に例示するクレセント錠４０′においては、上述したベース７０の代わりにベース７０′を用いてもよい。尚、以下の説明においては、上述した実施の形態の構成要素と同一の構成を有する部分には同一の符号を付してその説明を適宜省略する。
【００５４】
ここで例示するベース７０′は、上記ベース７０と同様に、例えばステンレス等の耐火性の金属材料から形成される板状体を屈曲等させて構成したものである。このようなベース７０′の中央領域７０ａには、軸支孔７２′が形成してある。この軸支孔７２′は、皿部４１の挿通孔４１ｂ（図４参照）を挿通する軸部４２′を貫通させるものである。
【００５５】
かかる軸支孔７２′の周縁部には、該軸支孔７２′の内方に向けて、つまり該軸支孔７２′の径方向内部に向けて突出する複数（図示の例では４つ）の突出片７２ａが該軸支孔７２′の周方向に沿って所定間隔毎に設けられている。これら突出片７２ａのうち互いに対向する突出片７２ａ間の離間距離は、軸支孔７２′を貫通する軸部４２′の外径よりも僅かに大きいものである。これにより、各突出片７２ａの先端部分と軸部４２′との間には、僅かな隙間が形成されている。
【００５６】
上記ベース７０′は、第１突片（第１突部）７３と第２突片（第２突部）７４′とが設けてある。第１突片７３は、ベース７０′の中央領域７０ａにおける軸支孔７２′の室外側の端部を左側、すなわち皿部４１に向けて延在するよう屈曲させた舌片状部位である。第２突片７４′は、複数（本実施の形態では２つ）設けてあり、第１突片７３の上方側及び下方側における中央領域７０ａの室外側端部を右側、すなわち上述した実施の形態と同様に召し合わせ框２４の見込み面２４ａ（所定部位）に向けて突出するよう形成されている。これら第２突片７４′は、それぞれの先端に平板状の先端面７４ａが設けられており、各先端面７４ａは、見込み面２４ａに対して僅かに離隔して対向している。この第２突片７４′の先端面７４ａは、ベース取付孔７１を有する取付孔形成面７５と同一平面上に位置している。
【００５７】
これら第１突片７３及び第２突片７４′は、上述した実施の形態と同様に、ベース取付孔７１を貫通するネジ８０よりも室外側、すなわちクレセント受け５０に近接する領域に設けてある。
【００５８】
上記軸部４２′は、上述した軸部４２と同様に、例えばステンレス等の耐火性の金属材料から形成された棒状体により構成してある。この軸部４２′は、一端がノブ４３（図４等参照）に一体的に取り付けてあり、該ノブ４３の凸部４３ａが皿部４１の挿通孔４１ｂに挿通して該挿通孔４１ｂに嵌合することで皿部４１と一体的に取り付けられている。この軸部４２′の先端は、上述した軸部４２と同様に、裏金８１（図４等参照）を貫通した後にかしめられている。
【００５９】
このような軸部４２′は、図１４にも示すように拡径部４２ａを有している。拡径部４２ａは、軸部４２′における皿部４１の左側の領域に設けられており、該領域の周面部の一部において該軸部４２′の径方向外部に向けて突出して形成されている。この拡径部４２ａの端面４２１、すなわち右側の端面は、皿部４１の左側の面、すなわち皿部４１の上記所定部位（召し合わせ框２４の見込み面２４ａ）と反対側の面に接している。
【００６０】
このような拡径部４２ａが上記領域の周面部の一部に形成されているのは、当該領域においてトリガー４４との干渉を抑制するためである。つまり、上記領域には、拡径部４２ａが形成された部分以外の部分にトリガー４４との干渉を抑制するための回避部４２ｂが形成されている。
【００６１】
図１５は、図１２及び図１３で図示を省略した台座部を示す斜視図である。ここで例示する台座部６０′は、上述した台座部６０と同様に、例えば亜鉛合金のような低融点金属材料をダイカスト鋳造法で成形したものである。この台座部６０′は、台座取付孔６１を挿通するネジ８０（図３参照）が召し合わせ框２４に螺合することでベース７０′とともに所定部位に支持されて配設されるもので、貫通孔６２、係止部位６３及び窪部６４を備えて上記台座部６０と同様の機能を有している。
【００６２】
この台座部６０′においては、貫通孔６２の周縁部にボス部６５が形成されている。ボス部６５は、該周縁部において軸部４２′の延在方向に沿って突出するよう略筒状に形成されており、外径が軸支孔７２′の内径に適合するものである。このボス部６５には、上記突出片７２ａの進入を許容する複数（図示の例では４つ）凹部６５ａが形成されている。
【００６３】
このような構成を有するクレセント錠４０′によれば、上述した実施の形態であるクレセント錠４０が奏する作用効果に加えて以下の作用効果を奏することができる。
【００６４】
すなわち、軸支孔７２′の周縁部に突出片７２ａが形成されているので、軸部４２′との離間距離を十分に低減させることができ、これにより例えば火災等により台座部６０′等が溶融してしまった場合においても軸部４２′ががたつくことを抑制することができる。
【００６５】
上記クレセント錠４０′によれば、第２突片７４′に平板状の先端面７４ａが設けてあるので、例えば火災等により台座部６０′等が溶融して第１突片７３が皿部４１に当接して押圧されることで第２突片７４′が所定部位に当接する場合に、該所定部位との接触面積を十分に確保することができ、皿部４１の回動を良好に抑制することができる。特に、第２突片７４′の先端面７４ａが取付孔形成面７５と同一平面上に位置していることで、かかる取付孔形成面７５も所定部位に当接することができ、該所定部位との接触面積を更に増大させることで、皿部４１の回動を抑制することができる。
【００６６】
上記クレセント錠４０′によれば、軸部４２′に形成された拡径部４２ａの端面４２１が皿部４１の所定部位と反対側の面に接しているので、例えば火災等により台座部６０′等が溶融してしまった場合において、該拡径部４２ａと第１突片７３とで皿部４１を挟み込むことで皿部４１の回動量をより低減させることができる。
【００６７】
上記クレセント錠４０′によれば、台座部６０′のボス部６５の外径が軸支孔７２′の内径に適合し、かつ凹部６５ａが突出片７２ａの進入を許容するので、クレセント錠４０′の組み立て加工時において、凹部６５ａに突出片７２ａが相対的に進入するよう軸支孔７２′にボス部６５を挿通させることで台座部６０′に対するベース７０′の位置決めを行うことができ、クレセント錠４０′の組み立てを容易なものとすることができる。
【００６８】
ところで、上記クレセント錠４０′が配設される召し合わせ框２４′が、図１６に示すように、金属製の框部分２４１に樹脂製の框部分２４２が組み合わされた複合部材である場合、召し合わせ框２４′の見込み面２４ａ′は、金属製の框部分２４１の見込み面２４ａ１が樹脂製の框部分２４２の見込み面２４ａ２に覆われて構成されている。
【００６９】
このような構成を有する見込み面２４ａ′にクレセント錠４０′を配設する場合には、樹脂製の框部分２４２の見込み面２４ａ２の所定個所を切り欠き、金属製等の耐火性材料から構成されてネジ８０を貫通させる孔部９１が形成されたスペーサ９０を介在させて金属製の框部分２４１の見込み面２４ａ１にクレセント錠４０′を取り付けるようにすればよい。
【００７０】
これによれば、例えば火災等により樹脂製の框部分２４２が溶融した場合でもクレセント錠４０′と金属製の框部分２４１との間にスペーサ９０が介在して隙間が生ずる虞れがなく、クレセント錠４０′ががたつくことを抑制することができる。
【００７１】
また、上記見込み面２４ａ′にクレセント錠４０′を配設する場合には、スペーサ９０を用いる代わりに次のようにしてもよい。
【００７２】
すなわち、図１７に示すようにベース７０′の第２突片７４′及びベース取付孔７１の形成部位７６を台座部６０′よりも樹脂製の框部分２４２の厚み分だけ突出させる。そして、樹脂製の框部分２４２の見込み面２４ａ２の所定個所を切り欠くことにより露出した金属製の框部分２４１の見込み面２４ａ１に先端面７４ａ及び取付孔形成面７５を当接させてネジ８０によりクレセント錠４０′を取り付けるようにすればよい。
【００７３】
これによれば、例えば火災等により樹脂製の框部分２４２が溶融した場合でもクレセント錠４０′と金属製の框部分２４１との間に隙間が生ずる虞れがなく、クレセント錠４０′ががたつくことを抑制することができる。
【００７４】
以上、本発明の好適な実施の形態及び代表的な変形例について説明したが、本発明はこれらに限定されるものではなく、種々の変更を行うことができる。
【００７５】
上述した実施の形態では、開口枠１０に対して２枚の障子２０，３０を左右方向にスライド開閉可能に配設した引き違い窓を例示したが、本発明においては、１枚の障子をスライド開閉可能に配設した片引き窓に適用することもできる。この場合、クレセント錠は、障子の縦框と、開口枠を閉じた場合に縦框と召し合わさる部分とのいずれか一方の所定部位に配設してあり、クレセント受けは、いずれか他方に配設してあればよい。更に、本発明においては、引き違い窓だけでなく、開口枠に対して障子を上下方向にスライド開閉可能に配設した上げ下げ窓にも適用することができる。
【００７６】
上述した実施の形態では、第２突片７４が複数設けてあったが、本発明においては、第２突部は単数であってもよい。また、上述した実施の形態では、第１突片７３が単数設けてあったが、本発明においては、第１突部が複数設けてあってもよい。
【００７７】
上述した代表的な変形例では、突出片７２ａが軸支孔７２′の径方向内部に向けて突出するよう軸支孔７２′の周縁部に設けられていたが、本発明においては、径方向内部に向けて突出していなくてもよく、軸支孔の内方に向けて突出するよう設けられていればその突出形態は特に限定されるものではない。
【符号の説明】
【００７８】
１０  開口枠
１１  上枠
１２  下枠
１３  縦枠
１４  縦枠
２０  内障子
２１  上框
２２  下框
２３  縦框
２４  縦框（召し合わせ框）
２４ａ  見込み面
２５  中桟
２６  面材
３０  外障子
３１  上框
３２  下框
３３  縦框
３４  縦框（召し合わせ框）
３５  中桟
３６  面材
４０  クレセント錠
４１  皿部
４１ａ  フランジ
４１ｂ  凹部
４２  軸部
４３  ノブ
５０  クレセント受け
６０  台座部
６１  台座取付孔
６２  貫通孔（孔部）
７０  ベース
７０ａ  中央領域
７１  ベース取付孔
７２  軸支孔
７３  第１突片（第１突部）
７４  第２突片（第２突部）
８０  ネジ（支持部材）
８１  裏金
８１ａ  係止片
８２  バネ
Ｓ  間隙
【図１】
2015045215.tif 000003
【図２】
2015045215.tif 000004
【図３】
2015045215.tif 000005
【図４】
2015045215.tif 000006
【図５】
2015045215.tif 000007
【図６】
2015045215.tif 000008
【図７】
2015045215.tif 000009
【図８】
2015045215.tif 000010
【図９】
2015045215.tif 000011
【図１０】
2015045215.tif 000012
【図１１】
2015045215.tif 000013
【図１２】
2015045215.tif 000014
【図１３】
2015045215.tif 000015
【図１４】
2015045215.tif 000016
【図１５】
2015045215.tif 000017
【図１６】
2015045215.tif 000018
【図１７】
2015045215.tif 000019